(57)【要約】      （修正有）【課題】ブリッスル全体が毛髪と均等に接触して一度にできるブラッシングの範囲が広くでき、スタイルアップブラッシングを行う際でもその作業効率が低下することのないヘアブラシを提供する。【解決手段】ヘアブラシは、本体１０、土台４０、ゴムラバー７０及びピンユニットから構成され、本体１０のブラシ部１０Ｂのサイド板２１Ａ、２１Ｂには凹曲面Ｒ１が、ブラシ部１０Ｂに設けられる土台４０とゴムラバー７０の長手方向の表面形状には凹曲面Ｒ２、Ｒ３が、ピンユニットのブラシピンの先端群が形成する面には凹曲面が設けられ、これら凹曲面は、人体頭部の曲率にほぼ合致するように形成されている。【選択図】図５
2013240434.tif 000002
【特許請求の範囲】
【請求項１】
ブラシ部と把持部とから形成され、該ブラシ部の片面に毛髪をブラッシングするブリッスルが植設された植毛面を有するヘアブラシであって、
前記ブラシ部は、その長手方向の中心線に対して対称状に設けられ、
前記ブラシ部の両側面は、前記中心線側に向かって湾曲状に窪んだ凹曲面で形成され、
該凹曲面は、人体頭部の曲率にほぼ合致する曲率を有していることを特徴とするヘアブラシ。
【請求項２】
前記ブリッスルの先端群で形成される面形状は、その長手方向の任意の面における垂直断面形状が全て前記凹曲面を有していることを特徴とする請求項１に記載のヘアブラシ。
【請求項３】
前記ブラシ部のブリッスルが植設された植毛面は、その長手方向の任意の面における垂直断面形状が全て前記凹曲面を有していることを特徴とする請求項１または請求項２に記載のヘアブラシ。
【請求項４】
前記ブラシ部のブリッスルが植設された植毛面または前記ブリッスルの先端群で形成される面形状は、その短手方向の任意の面における垂直断面形状が略半円状に突出した凸曲面で形成されていることを特徴とする請求項１乃至請求項３の何れか１項に記載のヘアブラシ。
【請求項５】
前記ブラシ部は、前記ブリッスルが設けられる植毛部と、該植毛部が装着される本体部とから成り、
前記植毛部は、弾性部材で形成された係止片を備え、前記本体部は、該係止片と係合する係合部を備え、
前記植毛部の前記本体部への装着は、前記係止片を撓ませながら該係止片が前記係合部に係止するとき、該係止片が弾性復帰することにより行われることを特徴とする請求項１乃至請求項４の何れか１項に記載のヘアブラシ。
【請求項６】
前記植毛部は、土台と、該土台の表面を覆うゴムラバーとから成り、
前記ブリッスルは、板状の基板にブラシピンを所定数植設した複数のピンユニットから成り、
前記ゴムラバーには、前記ブラシピンを挿通するピン孔が穿設され、
前記ピン孔に前記ブラシピンを下側から挿通して前記ピンユニットを前記ゴムラバーに取り付けると共に、該ピンユニットが取り付けられたゴムラバーを前記土台に着脱自在に装着し、
該ゴムラバーを前記土台に装着した状態では、前記ピンユニットの基板が前記ゴムラバーと前記土台とで挟着されて固定されることを特徴とする請求項５に記載のヘアブラシ。
【発明の詳細な説明】
【技術分野】
【０００１】
本発明は、ヘアブラシに関する。
【背景技術】
【０００２】
一般的にヘアブラシは、ブラシ部と把持部とから形成され、ブラシ部の片面には、毛髪をブラッシングするブリッスルとしての多数のブラシピンやブラシ毛が起立状態で植毛されたものが周知である。
【０００３】
斯かるヘアブラシは、ブラシ部の植毛面が平面または凸曲面で形成され、ブリッスルは、この平面または凸曲面に対して略垂直線状に植設されている。従って、ブリッスルの先端群で形成される面形状も、ブラシ部の植毛面と同様の平面または凸曲面となっている。
【０００４】
このようなヘアブラシでは、植毛面を平行にして人体頭部にブリッスルを当てたときに、人体頭部の曲率によりブリッスル全体が均等に毛髪に接触せず、ヘアブラシの略中央領域のブリッスルのみが毛髪と接触する。即ち、このようなヘアブラシでは、長手方向両端側（先端側及び根元側）のブリッスルが毛髪に接触しづらいので、毛髪とブリッスルとの接触領域が狭く、その結果、一度にできるブラッシングの範囲が狭いものとなっていた。
【０００５】
そこで、一度のブラッシングで毛髪とブリッスルとの接触領域を広くするため、ブラシ部の植毛面を、その長手方向の両端部から中央部にかけて湾曲状に窪んだ凹曲面で形成し、ブリッスルの先端群で形成される面形状も、ブラシ部の植毛面と同様な湾曲状に窪んだ凹曲面に形成したヘアブラシが提案されている（例えば、特許文献１、特に図４参照）。
【０００６】
つまり、特許文献１のヘアブラシは、植毛面を平行にして人体頭部にブリッスルを当てたときに、人体頭部の曲率にブリッスルの先端群で形成される凹曲面がほぼ合致し、ブリッスル全体が毛髪と均等に接触するようになり、その結果、一度にできるブラッシングの範囲が広くでき、ブラッシングの作業効率が向上するようになっている。
【先行技術文献】
【特許文献】
【０００７】
【特許文献１】特表２００５−５０２４１２号公報
【発明の概要】
【発明が解決しようとする課題】
【０００８】
ところで、ブラッシングでは、ヘアブラシを寝かせてブラシ部の植毛面が人体頭部に対して略直角になるように入れて、人体頭部にブラシ部の側端側（以下、単にサイド側ともいう）のブリッスルを先ず毛髪に接触させ、その後手首を内側または外側に捻ってヘアブラシを回転するように起こしながら、全体のブリッスルを毛髪に接触させるように行う場合がある。このようにブラッシングすることで、多くの毛髪を巻き上げてスタイルアップすることができ、特に理容師などは、このようなブラッシングをすることが多い（以下、このようなブラッシングを単にスタイルアップブラッシングともいう）。
【０００９】
しかしながら、特許文献１のヘアブラシでは、ブラシ部は略直方体状に形成され、該ブラシ部のサイド側の形状が略平面状に形成されている（特許文献１の図４、５参照）。このため、いくらブリッスルの先端群で形成される面形状を上記したような凹曲面に形成しても、スタイルアップブラッシング行う際には、ブラシ部のサイド側の平面形状が障害となって、サイド側のブリッスルが均等に毛髪に接触しないという問題点がある。
【００１０】
即ち、従来のヘアブラシでは、スタイルアップブラッシング行う際にヘアブラシを寝かせてサイド側のブリッスルを毛髪に接触させるとき、人体頭部の曲率によりサイド側のブリッスルと毛髪との接触領域が狭められ、その結果、スタイルアップブラッシングの作業効率が低下してしまうという問題点がある。
【００１１】
本発明は、上記したような問題点を解決するためになされたもので、その目的とするところは、ブリッスル全体が毛髪と均等に接触して一度にできるブラッシングの範囲が広くでき、スタイルアップブラッシングを行う際でもその作業効率が低下することのないヘアブラシを提供することにある。
【課題を解決するための手段】
【００１２】
この様な問題を解決するために、本発明のヘアブラシは、請求項１に記載したように、ブラシ部と把持部とから形成され、該ブラシ部の片面に毛髪をブラッシングするブリッスルが植設された植毛面を有するヘアブラシであって、前記ブラシ部は、その長手方向の中心線に対して対称状に設けられ、前記ブラシ部の両側面は、前記中心線側に向かって湾曲状に窪んだ凹曲面で形成され、該凹曲面は、人体頭部の曲率にほぼ合致する曲率を有していることを要旨とする。
【００１３】
従ってこのように構成される本発明のヘアブラシにおいては、ブリッスル全体を毛髪と均等に接触させることが容易となり、特にヘアブラシのサイド側のブリッスルと毛髪との接触領域を広めることができ、その結果、一度にできるブラッシングの範囲が広くでき、ブラッシングの作業効率が極めて向上する。
【００１４】
また、スタイルアップブラッシングを行う場合でも、まずブラシ部の一側面を人体頭部に当て、その後手首を内側または外側に捻ってヘアブラシをブラシ部の植毛面を経由して他の側面まで回転するように起こしながらブラッシングをすることで、全体のブリッスルを毛髪に容易に接触させることができ、その結果、スタイルアップブラッシングの作業効率が極めて向上する。
【００１５】
ここで、請求項１に記載のヘアブラシでは、請求項２に記載したように、前記ブリッスルの先端群で形成される面形状は、その長手方向の任意の面における垂直断面形状が全て前記凹曲面を有しているのがよい。このように構成すれば、ブリッスル全体を毛髪と均等に接触させることがさらに容易となり、請求項１の発明の効果をさらに顕著にできる。
【００１６】
また、請求項１または請求項２に記載のヘアブラシでは、請求項３に記載したように、ブラシ部のブリッスルが植設された植毛面は、その長手方向の任意の面における垂直断面形状が全て前記凹曲面を有しているのがよい。このように構成すれば、植毛面が人体頭部と接触しても、前記凹曲面を有しているのでブラッシングの障害になることはない。また、この植毛面に同じ長さのブリッスルを植設するだけで極めて容易に請求項２に記載のヘアブラシを作成することもできる。
【００１７】
さらには、請求項１乃至請求項３の何れか１項に記載のヘアブラシでは、請求項４に記載したように、前記ブラシ部のブリッスルが植設された植毛面または前記ブリッスルの先端群で形成される面形状は、その短手方向の任意の面における垂直断面形状が略半円状に突出した凸曲面で形成されているのがよい。このように構成すれば、特にスタイルアップブラッシングにおいて、ヘアブラシを回転させたときに極めて効率よく全体のブリッスルを毛髪に容易に接触させることができ、さらにスタイルアップブラッシングの作業効率を向上させることができる。
【００１８】
ところで、ヘアブラシを組み立てる際、ブラシ部をどのように構成すればよいかが問題となるが、これは次のようにするとよい。即ち、請求項５に記載のヘアブラシは、請求項１乃至請求項４の何れか１項に記載のヘアブラシにおいて、前記ブラシ部は、前記ブリッスルが設けられる植毛部と、該植毛部が装着される本体部とから成り、前記植毛部は、弾性部材で形成された係止片を備え、前記本体部は、該係止片と係合する係合部を備え、前記植毛部の前記本体部への装着は、前記係止片を撓ませながら該係止片が前記係合部に係止するとき、該係止片が弾性復帰することにより行われることを要旨とする。
【００１９】
従ってこのように構成される本発明のヘアブラシにおいては、植毛部の本体部に対する着脱作業をワンタッチで極めて容易に行うことができ、その結果、ヘアブラシの組み立て作業が極めて容易になる。
【００２０】
また、ヘアブラシの保守や修理を行う場合には、次のようにするとよい。即ち、請求項６に記載のヘアブラシは、請求項５に記載のヘアブラシにおいて、前記植毛部は、土台と、該土台の表面を覆うゴムラバーとから成り、前記ブリッスルは、板状の基板にブラシピンを所定数植設した複数のピンユニットから成り、前記ゴムラバーには、前記ブラシピンを挿通するピン孔が穿設され、前記ピン孔に前記ブラシピンを下側から挿通して前記ピンユニットを前記ゴムラバーに取り付けると共に、該ピンユニットが取り付けられたゴムラバーを前記土台に着脱自在に装着し、該ゴムラバーを前記土台に装着した状態では、前記ピンユニットの基板が前記ゴムラバーと前記土台とで挟着されて固定されることを要旨とする。
【００２１】
従ってこのように構成される本発明のヘアブラシにおいては、ゴムラバーの土台に対する着脱作業及びゴムラバーのピン孔に挿通したブラシピンの固定をワンタッチで極めて容易に行うことができ、その結果、ブラシピンやゴムラバーの破損や劣化等による取替え作業も極めて容易に行うことが可能となる。
【００２２】
次に特許請求の範囲の構成と、本発明の実施形態との主な対応を説明する。
ブラシ部は、ブラシ部１０Ｂ、土台４０、ゴムラバー７０、ピンユニット８０、第１、２ピンユニット８０Ａ、Ｂに相当し、把持部は、把持部１０Ａに相当し、ブリッスルは、ブラシピン８１ａ、ｂに相当し、植毛面は、ピン挿入部７１に相当し、ヘアブラシは、ヘアブラシ１に相当し、中心線は、中心線Ｌ１、３、５に相当し、ブラシ部の両側面は、サイド板２１Ａ、Ｂ、サイド下端４１Ａ、Ｂ、サイド下端７１Ａ、Ｂに相当し、凹曲面は、凹曲面Ｒ１、２、３、４、５に相当し、植毛部は、土台４０、ゴムラバー７０に相当し、本体部は、本体１０、ブラシ部１０Ｂに相当し、係止片は、係止片５２Ａ、Ｂに相当し、係合部は、係止溝２２ｃ、２３ｃに相当し、土台は、土台４０に相当し、ゴムラバーは、ゴムラバー７０に相当し、基板は、基板８５Ａ、Ｂに相当し、ブラシピンは、ブラシピン８１ａ、ｂに相当し、ピンユニットは、ピンユニット８０、第１、２ピンユニット８０Ａ、Ｂに相当し、ピン孔は、ピン孔７３に相当する。
【図面の簡単な説明】
【００２３】
【図１】本実施形態に係わるヘアブラシ１全体の平面図、底面図、右側面図、Ａ−Ａ断面図である。
【図２】本実施形態に係わるヘアブラシ１の本体１０の正面図、平面図、左側面図、右側面図、Ｂ−Ｂ断面図である（底面図は図１の底面図と同一）。
【図３】本実施形態に係わるヘアブラシ１の土台４０の正面図、平面図、底面図、右側面図、Ｃ−Ｃ断面図である（背面図、左側面図は本図の正面図、右側面図と同一）。
【図４】本実施形態に係わるヘアブラシ１のゴムラバー７０の正面図、平面図、底面図、右側面図、Ｄ−Ｄ断面図である（背面図、左側面図は本図の正面図、右側面図と同一）。
【図５】本実施形態に係わるヘアブラシ１の組み立て状態を説明する分解斜視図である。
【図６】本実施形態に係わるヘアブラシ１のピンユニット８０の正面図及びピンユニット８０をゴムラバー７０に取り付けた状態の模式的な断面図である。
【発明を実施するための形態】
【００２４】
＜１．ヘアブラシの構成＞
以下に、本発明を実施するための形態を図を用いて説明する。図１は、ヘアブラシ１全体の平面図、底面図、右側面図、Ａ−Ａ断面図、図２は、本体１０の正面図、平面図、左側面図、右側面図、Ｂ−Ｂ断面図、図３は、土台４０の正面図、平面図、底面図、右側面図、Ｃ−Ｃ断面図、図４は、ゴムラバー７０の正面図、平面図、底面図、右側面図、Ｄ−Ｄ断面図、図５は、ヘアブラシ１の組み立て状態を説明する分解斜視図、図６は、ピンユニット８０の正面図及びピンユニット８０をゴムラバー７０に取り付けた状態の模式的な断面図である。
【００２５】
ヘアブラシ１は、図１〜６に示すように、大別すると、本体１０、土台４０、ゴムラバー７０及びピンユニット８０から構成されている。先ず、図２を参照しながら、ヘアブラシ１の本体１０の構成について説明する。
【００２６】
＜１−１．本体１０の構成＞
本体１０は、長手方向に延びる図２の平面図に示す中心線Ｌ１に対して対称に形成され、把持部１０Ａとブラシ部１０Ｂとが、合成樹脂等の材料により一体的に成型されている。把持部１０Ａは、細長の略々直方体状に形成され、上面部１１は、下面部１２より全体的に一回り小さく形成されており（図２の平面図、左側面図参照）、側面部１３Ａ、Ｂは中心線Ｌ１側に、端面部１４は根元部１５側にそれぞれ若干傾斜するように成っている。また、下面部１２は、図２の正面図、左側面図に示すように、僅かに下方に湾曲する曲面状に形成されている。
【００２７】
把持部１０Ａは、図２の平面図に示すように、両端の端面部１４及び根元部１５から長手方向の中心に向かって徐々に幅広状に形成されており、把持部１０Ａの長手方向の略中心は、両端（端面部１４、根元部１５）よりも少し幅広状で最も広く形成されている。従って、このように形成される把持部１０Ａは、使用者が手でヘアブラシ１を握り易い構成となっている。
【００２８】
ブラシ部１０Ｂは、底板２０、サイド板２１Ａ、Ｂ、先端部材２２及び後端部材２３から形成されている。底板２０は、図２のＢ−Ｂ断面図に示すように、把持部１０Ａの厚さの略１／３程度の薄肉の平板状に形成され、その長手方向の長さは、把持部１０Ａとほぼ同じ長さに形成されている。また、底板２０の下面は、図２の正面図、左側面図に示すように、僅かに下方に湾曲する曲面状に形成され、把持部１０Ａの下面部１２と一連状に形成されている（図１の底面図参照）。なお、本体１０の底面図は図１の底面図と同一なので、図２において底面図は省略している。
【００２９】
図２の平面図に示す底板２０の両側にはサイド板２１Ａ、Ｂが設けられており、このサイド板２１Ａ、Ｂは、底板２０から上方に突出するように設けられる（図２のＢ−Ｂ断面図参照）と共に、中心線Ｌ１側に向かって湾曲状に窪んだ凹曲面Ｒ１を有している。
【００３０】
即ち、底板２０は、図２の平面図に示すように、長手方向の中心が最も幅が狭くなっており（把持部１０Ａの略中心の最も広い幅とほぼ同じ大きさ）、その中心から両端に向かって、サイド板２１Ａ、Ｂの凹曲面Ｒ１に沿って徐々に幅広状に形成され、その両端は最も幅が広く形成されている（中心の幅のほぼ２倍の大きさ）。
【００３１】
ここで、サイド板２１Ａ、Ｂの凹曲面Ｒ１は、ヘアブラシ１を寝かせて（底板２０を人体頭部に対して略直角になるように入れて）サイド板２１Ａ、Ｂを人体頭部に当てたときに人体頭部の曲率にほぼ合致して、該サイド板２１Ａ、Ｂ全体（サイド板２１Ａ、Ｂの長手方向の面全体）が人体頭部と接触するように形成されるもので、つまり、サイド板２１Ａ、Ｂの凹曲面Ｒ１の曲率は、人体頭部の曲率とほぼ合致している。具体的には、凹曲面Ｒ１の曲率は、例えばＲ（半径）１２０ミリメートル程度の大きさに形成される。
【００３２】
また、底板２０の先端側（把持部１０Ａと反対側）には、先端部材２２が底板２０及びサイド板２１Ａ、Ｂから上方に突出するように設けられており、一方、底板２０の後端側（把持部１０Ａ側）には、後端部材２３が、先端部材２２と同様に底板２０及びサイド板２１Ａ、Ｂから上方に突出するように設けられている（図２のＢ−Ｂ断面図、正面図参照）。先端部材２２、後端部材２３は、その内側形状が平面で底板２０に対して垂設される内壁２２ａ、２３ａを備え、一方その外側形状は、曲面状に形成される外壁２２ｂ、２３ｂを備えている。
【００３３】
なお、後端部材２３の外壁２３ｂの曲率は、先端部材２２の外壁２２ｂの曲率より大きく形成されている。従って使用者は、親指の腹側を曲面状の外壁２３ｂに、人差し指の腹側を僅かな曲面状の底板２０下面に宛がってブラシ部１０Ｂを挟み持つようにしながら、その他の指で把持部１０Ａを握ることができ、これによりヘアブラシ１のブラッシングの操作を容易にしている。
【００３４】
しかして、ブラシ部１０Ｂを構成する底板２０、サイド板２１Ａ、Ｂ、先端部材２２（内壁２２ａ）及び後端部材２３（内壁２３ａ）で囲まれる凹領域が、後述する土台４０を取り付けるための図２の平面図に示す取付領域２４となる。この取付領域２４は、中心線Ｌ１及びその長手方向の中心を通る中心線Ｌ２に対して対称に形成されている。なお、内壁２２ａ、２３ａの下部には、土台４０をブラシ部１０Ｂに固定するための図２のＢ−Ｂ断面図に示す係止溝２２ｃ、２３ｃと、この係止溝２２ｃ、２３ｃから上方に内壁２２ａ、２３ａの上端まで延在する浅溝状の係止通路２２ｅ、２３ｅ（図２の平面図参照）とが、それぞれ穿設されている。
【００３５】
＜１−２．土台４０の構成＞
次に、図３を参照しながら、ヘアブラシ１の土台４０の構成について説明する。土台４０は、後述のゴムラバー７０を取り付けた後、本体１０のブラシ部１０Ｂに取り付けられるもので、本体１０と同様に長手方向に延びる図３の平面図に示す中心線Ｌ３に対して対称に形成されると共に、長手方向の中心を通る中心線Ｌ４に対して対称に形成され、合成樹脂等の材料により一体的に成型されている。
【００３６】
土台４０は、その表面にゴムラバー７０を取り付けるためのラバー取付部４１と、ラバー取付部４１の両端及び裏面に設けられる端板５０Ａ、Ｂ及び支持板５１ａ、ｂ、ｃ、ｄとから形成されている。土台４０は、その下部を上記ブラシ部１０Ｂの取付領域２４に嵌め込んでヘアブラシ１の本体１０に取り付けられるようになっており、従ってラバー取付部４１は、図３の平面図に示すように、平面視すると取付領域２４の形状（図２の平面図参照）と同様な形状で、取付領域２４より略ゴムラバー７０の厚み分だけ小さく形成されている。
【００３７】
つまり、図３の平面図に示すラバー取付部４１の両側に設けられるサイド下端４１Ａ、Ｂは、上記ブラシ部１０Ｂのサイド板２１Ａ、Ｂと同様に、中心線Ｌ３側に向かって湾曲状に窪んだ凹曲面Ｒ２を有しており、この凹曲面Ｒ２は、サイド板２１Ａ、Ｂの凹曲面Ｒ１と同心でその曲率とほぼ同様な曲率に（凹曲面Ｒ１の曲率よりやや小さく）形成されている。即ち、サイド下端４１Ａ、Ｂの凹曲面Ｒ２の曲率は、人体頭部の曲率とほぼ合致している。具体的には、例えば凹曲面Ｒ１の曲率が上記したＲ１２０ミリメートルであれば、凹曲面Ｒ２の曲率は、Ｒ１２３ミリメートル程度の大きさに形成される。
【００３８】
また、ラバー取付部４１は、凹曲面Ｒ２を有したサイド下端４１Ａ、Ｂから上方に略半円状に形成される表面形状を備えており、この表面形状は、中心線Ｌ３を通る垂直面（図３の右側面図のＣ−Ｃ断面）と、図３の正面図に示すサイド下端４１Ａ、Ｂを通る水平面とが交差する軸線ＺＬを中心として、矢印Ｙに示すように、サイド下端４１Ｂ（又はサイド下端４１Ａ）を上方に１８０度回転することによって描かれるサイド下端４１Ｂ（又はサイド下端４１Ａ）の軌跡面となっている。
【００３９】
つまり、ラバー取付部４１の表面形状は、図３のＣ−Ｃ断面図に示すように、Ｃ−Ｃ断面線によって現れる断面箇所が凹曲面Ｒ２を有するように形成されており、即ちこれは、中心線Ｌ３と軸線ＺＬを通る断面線（Ｃ−Ｃ断面線）、及び、中心線Ｌ３と平行な線と軸線ＺＬを通る断面線よって現れるラバー取付部４１の表面形状の全ての断面箇所が、凹曲面Ｒ２を有することを意味している。つまり、ラバー取付部４１の長手方向の任意の面における垂直断面形状は、何れの断面であってもその表面形状が凹曲面Ｒ２を有するようになっている。
【００４０】
なお、ラバー取付部４１の表面形状は、上記したように略半円状に形成されているが、上述の説明から明らかなように、図３の正面図に示すＥ−Ｅ断面線及びＥ−Ｅ断面線と平行な断面線によって現れる全ての断面箇所（図示省略）のうち、つまり、ラバー取付部４１の短手方向の垂直断面形状のうち、最も小さいのはラバー取付部４１の長手方向の中心（中心線Ｌ４の位置）であり、その中心から両端に向かって、凹曲面Ｒ２の形状に沿って徐々に大きく形成され、その両端は最も大きく形成されている（ほぼ図３の右側面図と同じ大きさ）。
【００４１】
次に、ラバー取付部４１の両端に設けられる端板５０Ａ、Ｂは、図３の右側面図、底面図に示すように、その中央から下方に垂設される矩形板状に形成されている。端板５０Ａ、Ｂは、自由端となる下端が上記ブラシ部１０Ｂの取付領域２４内で底板２０上面に当接するようになっており、該下端のやや上部の表面側に係止片５２Ａ、Ｂが突設されている。
【００４２】
係止片５２Ａ、Ｂは、上記内壁２２ａ、２３ａに設けられた係止溝２２ｃ、２３ｃに係止して土台４０をブラシ部１０Ｂに固定する部材で、略三角柱状に形成されている。土台４０をブラシ部１０Ｂに固定する場合、係止片５２Ａ、Ｂを、上記内壁２２ａ、２３ａに設けられた浅溝状の係止通路２２ｅ、２３ｅ上をスライドさせるようにして係止溝２２ｃ、２３ｃに係止するが、この際、端板５０Ａ、Ｂは、下端が自由端となっているので内側に撓み、係止片５２Ａ、Ｂが係止溝２２ｃ、２３ｃに係止するとき弾性復帰するようになっている。なお、土台４０の左側面は右側面と同一に現れるので、図３において左側面図は省略している。
【００４３】
次に、ラバー取付部４１の裏面に設けられる支持板５１ａ、ｂ、ｃ、ｄは、図３の右側面図、底面図に示すように、支持板５１ａ、ｄはサイド側に配置され、支持板５１ｂ、ｃは、該支持板５１ａ、ｄの内側に配置されている。支持板５１ａ、ｄは、土台４０の長手方向の全長に亘って、ラバー取付部４１のサイド下端４１Ａ、Ｂの凹曲面Ｒ２に沿って湾曲板状に下方に突出するように形成され、支持板５１ｂ、ｃは、支持板５１ａ、ｄと略同形状で、該支持板５１ａ、ｄと所定の間隔をもって平行状に配置されている。
【００４４】
支持板５１ｂと支持板５１ｃとは、図３の底面図に示すように、土台４０の中心部分で結合して結合板５４を形成しており、この結合板５４を除いた支持板５１ｂの部分と支持板５１ａとの間隔、及び結合板５４を除いた支持板５１ｃの部分と支持板５１ｄとの間隔が、係止溝５３ａ、ｂ、ｃ、ｄを形成している。この係止溝５３ａ、ｂ、ｃ、ｄは、後述するゴムラバー７０を土台４０に取り付けるための溝である。
【００４５】
また、支持板５１ａ、ｂ、ｃ、ｄのうち、内側に配置される支持板５１ｂ、ｃ（結合板５４も含む）は、その下端が上記ブラシ部１０Ｂの取付領域２４内で底板２０上面に当接するようになっているが、支持板５１ａ、ｄは、その下端が底板２０上面に当接することなく、僅かに浮いた状態となっている。この理由は、ゴムラバー７０を土台４０に取り付けるときに、ゴムラバー７０が支持板５１ａ、ｄと底板２０との間を通って係止溝５３ａ、ｂ、ｃ、ｄに係止するからである。つまり、土台４０は、端板５０Ａ、Ｂと、支持板５１ｂ、ｃ（結合板５４も含む）と、支持板５１ａ、ｄ及びゴムラバー７０とにより、底板２０上に支持されるようになっている。
【００４６】
＜１−３．ゴムラバー７０の構成＞
次に、図４を参照しながら、ヘアブラシ１のゴムラバー７０の構成について説明する。ゴムラバー７０は、後述のピンユニット８０を取り付けた後、土台４０に取り付けられるもので、土台４０と同様に、長手方向に延びる図４の平面図に示す中心線Ｌ５に対して対称に形成されると共に長手方向の中心を通る中心線Ｌ６に対して対称に形成されている。
【００４７】
ゴムラバー７０は、土台４０表面のラバー取付部４１に対応するピン挿入部７１と、ゴムラバー７０を土台４０に取り付けるための取付片７２ａ、ｂ、ｃ、ｄとから形成されている。ピン挿入部７１は、上記したラバー取付部４１表面全体を覆うように設けられるもので、従って、ラバー取付部４１の表面形状と同様な形状で、略ゴムラバー７０の厚み分だけラバー取付部４１よりも大きく形成されている。
【００４８】
つまり、図４の平面図に示すピン挿入部７１のサイド下端７１Ａ、Ｂは、上記ブラシ部１０Ｂのサイド板２１Ａ、Ｂと同様に、中心線Ｌ５側に向かって湾曲状に窪んだ凹曲面Ｒ３を有しており、この凹曲面Ｒ３は、サイド板２１Ａ、Ｂの凹曲面Ｒ１と同心でその曲率と同一の曲率に（ラバー取付部４１のサイド下端４１Ａ、Ｂの凹曲面Ｒ２の曲率よりやや大きく）形成されている。即ち、サイド下端７１Ａ、Ｂの凹曲面Ｒ３の曲率は、人体頭部の曲率とほぼ合致している。具体的には、例えば上記した凹曲面Ｒ１の曲率と同一のＲ１２０ミリメートル程度の大きさに形成される。
【００４９】
なお、これ以外のピン挿入部７１の形状については、上述のラバー取付部４１と同様であるので、ここでの詳しい説明は省略するが、つまり、ピン挿入部７１の表面形状は、図４のＤ−Ｄ断面図に示すように、Ｄ−Ｄ断面線によって現れる断面箇所が凹曲面Ｒ３を有するように形成されており、即ちこれは、ピン挿入部７１の長手方向の任意の面における垂直断面形状は、何れの断面であってもその表面形状が凹曲面Ｒ３を有するようになっている。また、ピン挿入部７１の短手方向の垂直断面形状のうち、最も小さいのはピン挿入部７１の長手方向の中心（中心線Ｌ６の位置）であり、その中心から両端に向かって、凹曲面Ｒ３の形状に沿って徐々に大きく形成され、その両端は最も大きく形成されている（ほぼ図４の右側面図と同じ大きさ）。
【００５０】
ここで、ピン挿入部７１は、後述のピンユニット８０を取り付けるための多数のピン孔７３が穿設されており、このピン孔７３は、図４の平面図に示すように、ピン挿入部７１の凹曲面Ｒ３の形状に沿って行列状に配置されている。つまり、ピン孔７３は、長手方向にサイド下端７１Ａ側から順に第１行ピン孔７３ａ、第２行ピン孔７３ｂ、第３行ピン孔７３ｃ、第４行ピン孔７３ｄ、第５行ピン孔７３ｅ、第６行ピン孔７３ｆ、第７行ピン孔７３ｇが配置されており、第１、３、５、７行ピン孔７３ａ、ｃ、ｅ、ｇは１８個、第２、４、６行ピン孔７３ｂ、ｄ、ｆは１９個、それぞれピン孔７３が設けられている。
【００５１】
また、第１行ピン孔７３ａの隣り合うピン孔７３同士の間隔は同一であり、これは、第２〜７行ピン孔７３ｂ〜ｇにおいても同様である。また、第１、３、５、７行ピン孔７３ａ、ｃ、ｅ、ｇにおいて、同じ列に位置するピン孔７３同士の間隔は同一であり、これは、第２、４、６行ピン孔７３ｂ、ｄ、ｆにおいても同様である。そして、第１、３、５、７行ピン孔７３ａ、ｃ、ｅ、ｇの列は、第２、４、６行ピン孔７３ｂ、ｄ、ｆの列の間に位置するように設けられ、つまり、第１、３、５、７行ピン孔７３ａ、ｃ、ｅ、ｇの列と第２、４、６行ピン孔７３ｂ、ｄ、ｆの列とは交互に配置されるようになっている。なお、図４の右側面図におけるピン孔７３は図示を省略している。
【００５２】
次に、ゴムラバー７０の裏側底部に設けられる取付片７２ａ、ｂ、ｃ、ｄは、図４のＤ−Ｄ断面図、右側面図、底面図に示すように、取付片７２ａ、ｂはサイド下端７１Ｂ側に配置され、取付片７２ｃ、ｄはサイド下端７１Ａ側に配置されている。取付片７２ａ、ｂは、サイド下端７１Ｂの凹曲面Ｒ３に沿って、取付片７２ｃ、ｄはサイド下端７１Ａの凹曲面Ｒ３に沿って、中心線Ｌ５側に突出するように形成されており、その長手方向の長さは、上記した土台４０の係止溝５３ａ、ｂ、ｃ、ｄとほぼ同じ長さに形成されている。
【００５３】
取付片７２ａ、ｂ、ｃ、ｄは、ピン挿入部７１のサイド下端７１Ａ、Ｂから水平に延びてゴムラバー７０の底面に位置する略矩形状の底面片７４ａ、ｂ、ｃ、ｄと、この底面片７４ａ、ｂ、ｃ、ｄの端部（中心線Ｌ５側）から上方に直角に延びる略矩形状の係止片７５ａ、ｂ、ｃ、ｄとから、図４の右側面図に示すように、略Ｌ字状に形成されている。係止片７５ａ、ｂ、ｃ、ｄは、上記した土台４０の係止溝５３ａ、ｂ、ｃ、ｄに係止してゴムラバー７０を土台４０に固定する部材である。なお、ゴムラバー７０の左側面は右側面と同一に現れるので、図４において左側面図は省略している。
【００５４】
＜１−４．ピンユニット８０の構成＞
次に、図６を参照しながら、ピンユニット８０の構成について説明する。ピンユニット８０は、上記ゴムラバー７０に取り付けるもので、図６（Ａ）に示す第１ピンユニット８０Ａと図６（Ｂ）に示す第２ピンユニット８０Ｂの２種類設けられている。
【００５５】
第１ピンユニット８０Ａは、上記したピン挿入部７１の第２、４、６行ピン孔７３ｂ、ｄ、ｆに設けられた１９個のピン孔７３に対応しており、第２ピンユニット８０Ｂは、ピン挿入部７１の第１、３、５、７行ピン孔７３ａ、ｃ、ｅ、ｇに設けられた１８個のピン孔７３に対応している。従って、第１ピンユニット８０Ａは３ユニット、第２ピンユニット８０Ｂは４ユニット設けられている。
【００５６】
第１ピンユニット８０Ａは、ブリッスルとしてのブラシピン８１ａを構成する長尺ピン８３ａ、短尺ピン８４ａと、長尺ピン８３ａ、短尺ピン８４ａを垂直起立状態で植設する長細い矩形板状の基板８５Ａとで形成され、第２ピンユニット８０Ｂは、ブリッスルとしてのブラシピン８１ｂを構成する長尺ピン８３ｂ、短尺ピン８４ｂと、長尺ピン８３ｂ、短尺ピン８４ｂを垂直起立状態で植設する長細い矩形板状の基板８５Ｂとで形成され、この第１、２ピンユニット８０Ａ、Ｂ（長尺ピン８３ａ、ｂ、短尺ピン８４ａ、ｂ、基板８５Ａ、Ｂ）は、合成樹脂等の材料により一体的に成型されている（図５も併せて参照）。
【００５７】
第１ピンユニット８０Ａは、長尺ピン８３ａが１０本、短尺ピン８４ａが９本（合計１９本）設けられ、一方第２ピンユニット８０Ｂは、長尺ピン８３ｂ及び短尺ピン８４ｂが共に９本ずつ（合計１８本）設けられており、これら長尺ピン８３ａ、ｂと短尺ピン８４ａ、ｂとは、交互に基板８５Ａ、Ｂに植設されている。また、図中、８６ａ、ｂは球状端であり、この球状端８６ａ、ｂは球状に形成され、長尺ピン８３ａ、ｂの先端のみに形成されている。
【００５８】
このように構成される第１、２ピンユニット８０Ａ、Ｂは、下方側から対応するピン孔７３にブラシピン８１ａ、ｂを挿入してゴムラバー７０に取り付けるようになっており、第１、２ピンユニット８０Ａ、Ｂをゴムラバー７０に取り付けた状態では、図６（Ｃ）に示すように、基板８５Ａ、Ｂは、上記したピン挿入部７１の裏面側にぴったりと当接し、ピン挿入部７１が有する凹曲面Ｒ３の形状に沿って長手方向に弾性変形して湾曲するようになっている。
【００５９】
ここで、第１、２ピンユニット８０Ａ、Ｂをゴムラバー７０に取り付けた状態では、図６（Ｃ）に示すように、ゴムラバー７０の各ピン孔７３から突出した全ての長尺ピン８３ａ、ｂの先端（球状端８６ａ、ｂの先端）群及び短尺ピン８４ａ、ｂの先端群が形成する面は、上述したピン挿入部７１の表面形状、つまり長手方向に湾曲状に窪んだ凹曲面Ｒ３とそれぞれ同心な凹曲面Ｒ４、５となる。
【００６０】
即ち、ピン挿入部７１の第１〜７行ピン孔７３ａ〜ｇから突出する同じ行の長尺ピン８３ａ、ｂの先端同士をつなぐ曲線は凹曲面Ｒ４上に、同じ行の短尺ピン８４ａ、ｂの先端同士をつなぐ曲線は凹曲面Ｒ５上に位置するようになっている。また、凹曲面Ｒ４の曲率は、凹曲面Ｒ３の曲率より略長尺ピン８３ａ、ｂの長さ分だけ若干大きく、凹曲面Ｒ５の曲率は、凹曲面Ｒ３の曲率より略短尺ピン８４ａ、ｂの長さ分だけ若干大きく、即ち、ブラシピン８１ａ、ｂの先端群が形成する凹曲面Ｒ４、５の曲率は、人体頭部の曲率とほぼ合致している。具体的には、例えば凹曲面Ｒ１の曲率が上記したＲ１２０ミリメートル、長尺ピン８３ａ、ｂの長さが１０ミリメートル、短尺ピン８４ａ、ｂの長さが５ミリメートルであれば、凹曲面Ｒ４、５の曲率は、Ｒ１１０ミリメートル、Ｒ１１５ミリメートル程度の大きさに形成される。なお、図６（Ｃ）では、第１ピンユニット８０Ａをゴムラバー７０に取り付けた状態を模式的に示している。
【００６１】
また、第１、２ピンユニット８０Ａ、Ｂがゴムラバー７０に取り付けられた状態では、ゴムラバー７０上の全面で長尺ピン８３ａ、ｂと短尺ピン８４ａ、ｂとが交互に配置されるようになるので（図１の平面図参照）、ヘアブラシ１のブラッシング効果が向上する。
【００６２】
また、人体頭皮に当接する長尺ピン８３ａ、ｂの先端には、球状端８６ａ、ｂが形成されているので、これにより、人体頭皮に対する長尺ピン８３ａ、ｂの衝撃を緩和すると共に、人体頭皮に当接しない短尺ピン８４ａ、ｂには球状端８６ａ、ｂを設けていないので、コストダウンとなる。
【００６３】
＜２．ヘアブラシ１の組立＞
次に、図５を参照しながら、ヘアブラシ１の組み立てについて説明する。ヘアブラシ１を組み立てるには、先ずゴムラバー７０のピン孔７３にブラシピン８１ａ、ｂを下側から挿入して、第１、２ピンユニット８０Ａ、Ｂをピン挿入部７１に取り付ける。この場合、第１ピンユニット８０Ａのブラシピン８１ａ（長尺ピン８３ａ１０本、短尺ピン８４ａ９本）は、３ユニット共に、ピン挿入部７１の第２、４、６行ピン孔７３ｂ、ｄ、ｆの何れかに挿入し、第２ピンユニット８０Ｂのブラシピン８１ｂ（長尺ピン８３ｂ９本、短尺ピン８４ｂ９本）は、４ユニット共に、ピン挿入部７１の第１、３、５、７行ピン孔７３ａ、ｃ、ｅ、ｇの何れかに挿入する。
【００６４】
次に、ピンユニット８０が取り付けられたゴムラバー７０を、土台４０のラバー取付部４１の表面を覆うように取り付ける。この場合、図５下段の矢印Ｙに示すように、ゴムラバー７０の取付片７２ａ、ｂ、ｃ、ｄにおいて、底面片７４ａ、ｂ、ｃ、ｄを土台４０の支持板５１ａ、ｄの下側に、底面片７４ａ、ｂ、ｃ、ｄの上面が支持板５１ａ、ｄの下面と当接するように位置させ、係止片７５ａ、ｂ、ｃ、ｄを土台４０の係止溝５３ａ、ｂ、ｃ、ｄにそれぞれ挿入して係止することにより、ゴムラバー７０を土台４０に取り付ける。
【００６５】
ここで、ゴムラバー７０を土台４０に取り付けた状態では、ゴムラバー７０に取り付けられている第１、２ピンユニット８０Ａ、Ｂの基板８５Ａ、Ｂが、ゴムラバー７０のピン挿入部７１と土台４０のラバー取付部４１とにより挟着され、基板８５Ａ、Ｂは、その上面がピン挿入部７１が有する凹曲面Ｒ３の形状に沿って、下面がラバー取付部４１が有する凹曲面Ｒ２の形状に沿って長手方向に弾性変形して湾曲している状態となっている。
【００６６】
つまり、基板８５Ａ、Ｂは、ピン挿入部７１及びラバー取付部４１両者の形状に沿ってぴったりと当接した状態で挟着されており、これにより、ブリッスルとしてのブラシピン８１ａ、ｂ（長尺ピン８３ａ、ｂ、短尺ピン８４ａ、ｂ）は、ゴムラバー７０の各ピン孔７３から、図１の平面図、Ａ−Ａ断面図、図６（ｃ）に示すように、ラバー取付部４１の表面に対してほぼ垂直状に突出して植設された状態となっている。
【００６７】
従って、このようにブラシピン８１ａ、ｂがゴムラバー７０に垂直状に植設された状態では、長尺ピン８３ａ、ｂの先端（球状端８６ａ、ｂの先端）群及び短尺ピン８４ａ、ｂの先端群が形成する図６（ｃ）に示す凹曲面Ｒ４、５は、ゴムラバー７０の表面形状、つまり長手方向に湾曲状に窪んだ凹曲面Ｒ３と同心に形成されると共に、長尺ピン８３ａ、ｂと短尺ピン８４ａ、ｂとは、ゴムラバー７０上に交互に配置された状態となっている。
【００６８】
次に、ゴムラバー７０が取り付けられた土台４０を、本体１０のブラシ部１０Ｂに形成された取付領域２４に取り付ける。この場合、土台４０の係止片５２Ａ、Ｂを内側に撓ませながらブラシ部１０Ｂの係止通路２２ｅ、２３ｅ上をスライドさせ、係止片５２Ａ、Ｂが係止通路２２ｅ、２３ｅの下端に連設されている係止溝２２ｃ、２３ｃに到達すると、内側に撓んでいた係止片５２Ａ、Ｂが外側に弾性復帰することにより係止溝２２ｃ、２３ｃに係止片５２Ａ、Ｂが係止し、土台４０が本体１０に取り付けられる。これにより、ヘアブラシ１の組み立てが完成し、図１に示すようなヘアブラシ１が形成される。
【００６９】
＜３．ヘアブラシ１の効果＞
以上、本実施形態に係るヘアブラシ１を図を参照しながら説明したが、上述の説明から明らかなように、本実施形態に係るヘアブラシ１では、本体１０のブラシ部１０Ｂの両側にはサイド板２１Ａ、Ｂが設けられており、このサイド板２１Ａ、Ｂは、ヘアブラシ１を寝かせてサイド板２１Ａ、Ｂを人体頭部に当てたときに人体頭部の曲率にほぼ合致する凹曲面Ｒ１を有している。
【００７０】
そして、この凹曲面Ｒ１を有したブラシ部１０Ｂに設けられる土台４０と、土台４０の表面を覆うゴムラバー７０とは、長手方向の任意の面における垂直断面形状が、何れの断面であってもその表面形状が本体１０の凹曲面Ｒ１と同様な人体頭部の曲率にほぼ合致する凹曲面Ｒ２、３を有するようになっており、これに伴ってゴムラバー７０に植設されるブリッスルとしてのブラシピン８１ａ、ｂの先端群が形成する面も、土台４０及びゴムラバー７０の凹曲面Ｒ２、３と同様な表面形状で人体頭部の曲率にほぼ合致する凹曲面Ｒ４、５を有している。
【００７１】
従って、このように構成されるヘアブラシ１は、ブリッスルとしてのブラシピン８１ａ、ｂ全体を毛髪と均等に接触させることが容易となり、特にヘアブラシ１のサイド側のブリッスルと毛髪との接触領域を広めることができ、その結果、一度にできるブラッシングの範囲が広くでき、ブラッシングの作業効率、特にスタイルアップブラッシングの作業効率が極めて向上する。
【００７２】
また、ゴムラバー７０の第１〜７行ピン孔７３ａ〜ｇの長手方向の長さ合わせて長細い矩形板状に形成した基板８５Ａ、Ｂにブラシピン８１ａ、ｂを植設し、合成樹脂等の材料により一体的に成型して第１、２ピンユニット８０Ａ、Ｂを構成するようにしたので、基板８５Ａ、Ｂを土台４０及びゴムラバー７０の凹曲面Ｒ２、３の形状に沿って弾性変形させて土台４０とゴムラバー７０とで挟着することで、第１、２ピンユニット８０Ａ、Ｂを容易に固定することができ、その結果、ヘアブラシ１の組み立て作業が極めて容易となる。
【００７３】
また、ゴムラバー７０と土台４０の表面形状ほほぼ同一に形成して、ゴムラバー７０の取付片７２ａ、ｂ、ｃ、ｄを土台４０の係止溝５３ａ、ｂ、ｃ、ｄに係止するだけで、ゴムラバー７０を土台４０に容易に取り付けることができ、さらに、合成樹脂等の材料により一体的に成型された土台４０の係止片５２Ａ、Ｂを、その弾性力によりブラシ部１０Ｂの係止通路２２ｅ、２３ｅ上をスライドさせるようにして係止溝２２ｃ、２３ｃに係止するだけで、土台４０を本体１０に容易に取り付けることができる。なお、ゴムラバー７０を土台４０から取り外すときや、土台４０を本体１０から取り外すときも、逆の手順で容易に取り外すことができる。
【００７４】
即ち、ゴムラバー７０の土台４０に対する着脱作業及び土台４０の本体１０に対する着脱作業をワンタッチで極めて容易に行うことができ、その結果、ヘアブラシ１の組み立て作業が極めて容易になると共に、ブラシピン８１ａ、ｂやゴムラバー７０の破損や劣化等による取替え作業も極めて容易に行うことが可能となる。
【００７５】
また、ブラシピン８１ａ、ｂは、ゴムラバー７０上の全面で長尺ピン８３ａ、ｂと短尺ピン８４ａ、ｂとが交互に配置され、且つゴムラバー７０の摩擦力とも相俟って、ヘアブラシ１のブラッシングの際に毛髪と適度な抵抗力を発生させることができ、その結果、ヘアブラシ１のブラッシング、特にスタイルアップブラッシングにおいて容易に所望のヘアスタイルにすることができる。
【００７６】
＜４．他の実施形態＞
以上、本発明の実施形態に係わるヘアブラシ１を図に基づいて説明してきたが、具体的な構成は実施形態に示したものに限定されるものではなく、本発明の要旨を逸脱しない範囲における変更や追加などがあっても本発明に含まれる。
【００７７】
例えば、ヘアブラシ１の本体１０、土台４０、ピンユニット８０は合成樹脂以外の材料でもよい。ただし、土台４０、ピンユニット８０は、弾性部材が好ましい。また、凹曲面Ｒ１〜５の曲率は、適宜設計事項であり、人体頭部の曲率にほぼ合致する範囲内で予め複数種類のものを用意するようにしてもよい。
【００７８】
また、ブラシピン８１ａ、ｂの先端群が形成する凹曲面Ｒ４、５の曲率は、上述した実施形態では、ゴムラバー７０凹曲面Ｒ３の曲率より、凹曲面Ｒ４の曲率は略長尺ピン８３ａ、ｂの長さ分だけ若干大きく、凹曲面Ｒ５の曲率は凹曲面Ｒ３の曲率より略短尺ピン８４ａ、ｂの長さ分だけ若干大きく形成したが、これは、凹曲面Ｒ４、５の曲率を凹曲面Ｒ３の曲率と同一に形成してもよい。この場合には、ブラシピン８１ａ、ｂの長さを凹曲面Ｒ３の曲率に合わせて長手方向中央から両端にかけて徐々に短くするように形成すればよい。
【符号の説明】
【００７９】
１…ヘアブラシ、  １０…本体、
１０Ａ…把持部、  １０Ｂ…ブラシ部、
１１…上面部、  １２…下面部、
１３Ａ、Ｂ…側面部、  １４…端面部、
１５…根元部、  ２０…底板、
２１Ａ、Ｂ…サイド板、  ２２…先端部材、
２２ａ、２３ａ…内壁、  ２２ｂ、２３ｂ…外壁、
２２ｃ、２３ｃ…係止溝、  ２２ｅ、２３ｅ…係止通路、
２３…後端部材、  ２４…取付領域、
４０…土台、  ４１…ラバー取付部、
４１Ａ、Ｂ…サイド下端、  ５０Ａ、Ｂ…端板、
５１ａ、ｂ、ｃ、ｄ…支持板、  ５２Ａ、Ｂ…係止片、
５３ａ、ｂ、ｃ、ｄ…係止溝、  ５４…結合板、
７０…ゴムラバー、  ７１…ピン挿入部、
７１Ａ、Ｂ…サイド下端、  ７２ａ、ｂ、ｃ、ｄ…取付片、
７３…ピン孔、
７３ａ、ｂ、ｃ、ｄ、ｅ、ｆ、ｇ…第１、２、３、４、５、６、７行ピン孔
７４ａ、ｂ、ｃ、ｄ…底面片、  ７５ａ、ｂ、ｃ、ｄ…係止片、
８０…ピンユニット、  ８０Ａ、Ｂ…第１、２ピンユニット、
８１ａ、ｂ…ブラシピン、  ８３ａ、ｂ…長尺ピン、
８４ａ、ｂ…短尺ピン、  ８５Ａ、Ｂ…基板、
８６ａ、ｂ…球状端、  Ｒ１、２、３、４、５…凹曲面。
【図１】
2013240434.tif 000003
【図２】
2013240434.tif 000004
【図３】
2013240434.tif 000005
【図４】
2013240434.tif 000006
【図５】
2013240434.tif 000007
【図６】
2013240434.tif 000008